(57)【要約】【課題】使用者の足のサイズだけではなくふくらはぎのサイズにも適合したスキーブーツを提供する。【解決手段】硬質の通常のソール（２）を備えたスキーブーツにおいて、ソール（２）の踵（４）の領域の方向に向けて開口するシェル（３）が、ソール（２）の足の前方部分の領域から土踏まずの領域にかけてソール（２）から突出し、シェル（３）には、ソール（２）に対する長手軸方向の位置を調整及びガイドする手段（９，１３）と相互に作用しながら支持部材（５）が前後に摺動可能に連結されており、支持部材（５）には高さを調整可能なカフ（６）が回動可能に連結されている。【選択図】図１
2006297081.tif 000002
【特許請求の範囲】
【請求項１】
硬質の通常のソール（２）を備えたスキーブーツにおいて、上記ソール（２）の踵（４）の領域の方向に向けて開口するシェル（３）が、上記ソール（２）の足の前方部分の領域から土踏まずの領域にかけて上記ソール（２）から突出し、上記シェル（３）には、上記ソール（２）に対する長手軸方向の位置を調整及びガイドする手段（９，１３）と相互に作用しながら支持部材（５）が前後に摺動可能に連結されており、上記支持部材（５）には高さを調整可能なカフ（６）が回動可能に連結されていることを特徴とするスキーブーツ。
【請求項２】
上記シェル（３）は、ほぼ上記土踏まずの領域を起点として使用者の踝の方向に向けて延設された２つの側部ウィング（７ａ，７ｂ）を備えており、上記側部ウィング（７ａ，７ｂ）は、上記ソール（２）に近接するその下端部の近傍に、上記ソール（２）を横断する同一の軸線上に配置された２つの第１の孔（８ａ，８ｂ）を有することを特徴とする請求項１に記載のスキーブーツ。
【請求項３】
上記ソール（２）に対する長手軸方向の位置を調整する上記手段は、上記ソール（２）の上面（１０）を起点とし、上記ソール（２）の上記踵（４）の領域に近接して上記ソール（２）に設けられた第１取付座（９）を備え、上記第１取付座（９）は、上方から見て上記ソール（２）の長手軸方向に延びるほぼ長方形の形状を有することを特徴とする請求項１又は２に記載のスキーブーツ。
【請求項４】
上記第１取付座（９）の互いに対向する前後方向側面には、同一の軸線を有した第２の孔（１１）と第３の孔（１２）とが設けられていることを特徴とする請求項３に記載のスキーブーツ。
【請求項５】
上記第２の孔（１１）は上記第３の孔（１２）の径より大きい径を有することを特徴とする請求項４に記載のスキーブーツ。
【請求項６】
上記第１取付座（９）は、上記ソール（２）に対する長手軸方向の位置をガイドする上記手段の一部である後部キャビティ（１３）と連通し、上記後部キャビティ（１３）は、上記ソール（２）の上面（１０）を起点として、上記第１取付座（９）から上記ソール（２）の後方周縁部までの一部に設けられていることを特徴とする請求項５に記載のスキーブーツ。
【請求項７】
上記後部キャビティ（１３）は、横方向断面がほぼ逆Ｔ字状をなし、上方から見て上記第１取付座（９）の幅及び長さより小さな幅及び長さを有したほぼ長方形に形成されていることを特徴とする請求項６に記載のスキーブーツ。
【請求項８】
上記支持部材（５）は、実質的に平坦に形成され上記第１取付座（９）及び上記後部キャビティ（１３）の領域において上記ソール（２）の上面（１０）上で摺動可能な基部（１４）を備え、上記基部（１４）は、上記ソール（２）の上記踵（４）の領域において、上方から見たときに上記ソール（２）の形状に部分的に対応した形状を有していることを特徴とする請求項７に記載のスキーブーツ。
【請求項９】
上記基部（１４）の周縁部からは、上記シェル（３）の上記側部ウィング（７ａ，７ｂ）の内方に摺動可能な２つの側壁（１６ａ，１６ｂ）で画成され、上方から見てほぼＵ字状をなす第１突出部（１５）が、上記ソール（２）とは反対側に延設されていることを特徴とする請求項８に記載のスキーブーツ。
【請求項１０】
上記側壁（１６ａ，１６ｂ）には、上記ソール（２）の長手軸に沿い、上記シェル（３）の上記側部ウィング（７ａ，７ｂ）に形成された上記第１の孔（８ａ，８ｂ）に対向して配置された２つの第１スロット（１７ａ，１７ｂ）が設けられ、上記第１の孔（８ａ，８ｂ）は、上記第１の孔（８ａ，８ｂ）に固定され上記第１スロット（１７ａ，１７ｂ）に摺動可能に挿入された第１ねじ部材又はリベット（１８ａ，１８ｂ）により上記第１スロット（１７ａ，１７ｂ）に摺動可能に連結されており、上記第１の孔（８ａ，８ｂ）、上記第１スロット（１７ａ，１７ｂ）、及び上記第１ねじ部材又はリベット（１８ａ，１８ｂ）が上記ソール（２）に対する長手軸方向の位置をガイドする上記手段を構成することを特徴とする請求項９に記載のスキーブーツ。
【請求項１１】
上記側壁（１６ａ，１６ｂ）には、上記第１スロット（１７ａ，１７ｂ）より上の位置で上記シェル（３）とは反対方向の端部側に２つの第４の貫通孔（１９ａ，１９ｂ）が同一の軸線上に設けられていることを特徴とする請求項１０に記載のスキーブーツ。
【請求項１２】
上記ソール（２）の上面（１０）に設けられた上記第１取付座（９）に摺動可能に配設され、上記ソール（２）に対する長手軸方向の位置を調整及びガイドする上記手段を構成する第２突出部（２０）が、ソール（２）に向け上記基部（１４）にほぼ直角に延設されており、上記第２突出部（２０）は、上記第１取付座（９）の幅とほぼ等しい幅を有すると共に、上記第１取付座（９）の長さより短い長さを有し、前後方向断面がほぼ長円形の形状を有していることを特徴とする請求項１乃至１１のいずれかに記載のスキーブーツ。
【請求項１３】
上記第２突出部（２０）は、横方向に貫通して形成された第２取付座（２１）を備え、上記第２取付座（２１）の上側表面、又は好ましくは下側表面には、上記第２突出部（２０）を横断する歯（２２）が設けられていることを特徴とする請求項１２に記載のスキーブーツ。
【請求項１４】
上記第２突出部（２０）の後方側には上記ソール（２）に向け上記基部（１４）から、上記後部キャビティ（１３）とほぼ同様の形状をなすと共に上記後部キャビティ（１３）より短い前後方向長さを有する第３突出部（２３）が延設され、上記第３突出部（２３）は上記後部キャビティ（１３）内に摺動可能に係合することにより、上記ソール（２）に対する長手軸方向の上記支持部材（５）の摺動をガイドすると共に規制しており、上記第２突出部（２０）は、上記ソール（２）に対する長手軸方向の位置をガイドする上記手段を構成することを特徴とする請求項１３に記載のスキーブーツ。
【請求項１５】
上記ソール（２）に対する長手軸方向の位置を調整する上記手段は、上記歯（２２）に対応する歯がその軸線方向に形成されて上記歯（２２）に噛合する第１シリンダ（２５）を有して上記第２取付座（２１）内に配置された第２ねじ部材（２４）を備え、上記第２ねじ部材（２４）は、上記第２の孔（１１）及び上記第３の孔（１２）において回動可能に配設されていることを特徴とする請求項１４に記載のスキーブーツ。
【請求項１６】
上記第２ねじ部材（２４）は、上記第２の孔（１１）の周縁部に回動可能に接するように、上記第２の孔（１１）に近接する端部に上記第２の孔（１１）の径より大きい径を有する環状頭部（２６）を有し、上記第２ねじ部材（２４）の自由端は上記第３の孔（１２）から突出しており、上記第３の孔（１２）の周縁部に接するように上記第３の孔（１２）の径より大きい径を有したディスク（２８）の支持を行うピン（２７）を軸線方向に嵌合することにより、上記第３の孔（１２）に回動可能に結合されていることを特徴とする請求項１５に記載のスキーブーツ。
【請求項１７】
上記ディスク（２８）の上記ピン（２７）とは反対側の部分からは支持部（２９）が突出し、上記支持部（２９）には使用者の方で上記第２ねじ部材（２４）に所望の回動を与えることができるように適合されたレバー（３０）が第１細径ピン（５２）により軸支されており、上記レバー（３０）は上記ソール（２）の側面に対して一方向と反対方向とに傾動可能であり、所定位置に配設されて上記ソール（２）の側面からほぼ直角に突出した第２細径ピン（３１）を、上記レバー（３０）に設けられた第５の貫通孔（３２）に挿入することにより、所望の位置において上記ソール（２）と結合可能になっていることを特徴とする請求項１６に記載のスキーブーツ。
【請求項１８】
上記カフ（６）は、上記カフ（６）の上端縁（５８）の後部領域から選択的に突出するように設けられた舌部（３５）の存在により高さを調整可能であることを特徴とする請求項１乃至１７のいずれかに記載のスキーブーツ。
【請求項１９】
上記舌部（３５）は、上記上端縁（５８）の近傍において上記カフ（６）に設けられた第６の孔（３７）と上記舌部（３５）に上下方向に設けられた２つ以上の第６の孔（３８）の１つとに第３ねじ部材（３６）を挿入することにより所望の上下位置で上記カフ（６）に結合可能であり、上記結合は、上記第３ねじ部材（３６）とこれに対応する形状の１つ以上の第３取付座（３９）との相互作用によって行われ、上記第３取付座（３９）は上記カフ（６）とは反対側において上記舌部（３５）に接合する板部材（４０）に設けられていることを特徴とする請求項１８に記載のスキーブーツ。
【請求項２０】
上記踵（４）の領域における上記上面（１０）の少なくとも一部と、上記支持部材（５）の前後方向周縁部の下面との間には、適切な材料の第１ストリップ（５１）によって構成される第１スノーガード又は第１ウォーターガードが介装されており、上記第１ストリップ（５１）はＬ字状をなして上記上面（１０）と上記シェル（３）の上記側部ウィング（７ａ，７ｂ）の下端部（５０）との間にある空隙内の少なくとも端部に配設されることを特徴とする請求項１乃至１９のいずれかに記載のスキーブーツ。
【請求項２１】
上記踵（４）の領域における上記上面（１０）には、上記第１取付座（９）の側方に第７の孔（５３ａ，５３ｂ）が更に設けられて上記ソール（２）に対する長手軸方向の上記支持部材（５）の位置をガイドする上記手段を構成しており、上記第７の孔（５３ａ，５３ｂ）は、第４ねじ部材又はリベット（５５）の多角形の頭部を収容する第３取付座と下方に連通していることを特徴とする請求項１乃至２０のいずれかに記載のスキーブーツ。
【請求項２２】
上記第４のねじ部材又はリベット（５５）は、上記支持部材（５）の上記基部（１４）に設けられた第２スロット（５７）内に摺動可能に配設され、その第２シリンダ（５６）が上記第２スロット（５７）に結合されることを特徴とする請求項１乃至２１のいずれかに記載のスキーブーツ。
【請求項２３】
上記シェル（３）における上記側部ウィング（７ａ，７ｂ）の上記カフ(６)と重合する周縁部に対向した上記カフ（６）の周縁部に結合される第２ストリップ（５９）からなる第２スノーガード又は第２ウォーターガードを備えたことを特徴とする請求項１乃至２２のいずれかに記載のスキーブーツ。
【発明の詳細な説明】
【技術分野】
【０００１】
本発明はスキーブーツに関する。
【背景技術】
【０００２】
現在、下方にソールが結合されたシェルによって構成されるスキーブーツが一般に用いられている。ソールはスキー板の所定位置に固定されたビンディングに結合可能な爪先部分と踵部分とを有しており、一般的に硬質又は半硬質の樹脂からなるシェルは、使用者の足のほぼ全体を覆っている。
シェルには、一般的に踝の部分でカフが回動可能に連結されており、カフはスキーをする際に使用者の脚を部分的にカバーして支持するようになっている。
【０００３】
シェル及びカフの内部には、柔軟な素材からなるインナーブーツが一般的に設けられ、使用者に対する快適なフィット性を増大するようになっている。
【発明の開示】
【発明が解決しようとする課題】
【０００４】
このような公知のスキーブーツの主たる欠点は、使用者の足のサイズに適応させるために様々な寸法で製造しなければならない点にあり、このことは部品を異なる寸法で製造するための異なる機械や型を必要とすることによって製造コストを増大させ、更に製造者及び販売者の両方で様々なサイズのものをストックしなければならないという問題もある。
このような欠点を解消可能な方法として、足のサイズの少しばかり異なる使用者が使用することができるように、いくつかの限られたサイズのスキーブーツが製造されるのが一般的である。
【０００５】
しかしながらこのことは、快適性を増大させると共に足からスキー板に最適な方法で力を伝達できるようにするため、例えば厚みを増したソックスの使用などのような別の処置を使用者にとらせながら、使用者に対して自分の足の厳密なサイズに対応していないサイズのものを購入させることになる。
このような欠点は、比較的短い期間で足の寸法が増大する子供が使用者である場合に、より一層大きくなる。
【０００６】
考えなければならないもう１つの問題点は、固定のサイズに対応して固定される使用者のふくらはぎの形状にあり、より大きなサイズを使用して足に生じるより大きな空間をソックスで補うことは、カフの上端部分におけるふくらはぎの局部的な圧迫を引き起こすことになる。
本発明の意図するところは、使用者の足のサイズだけではなくふくらはぎのサイズにも適合したスキーブーツを提供することにより、上述の問題点を解決し、公知の技術における上述の欠点を解消することにある。
【０００７】
このような意図のもとで本発明の目的は、足の寸法が少し大きくなっても長期にわたって足及び脚に良好な快適性を維持しながら、子供でも使用することができるスキーブーツを提供することにある。
本発明の別の目的は、例えばレンタルの分野における大量の使用が得られるように、単一の使用者や足及びふくらはぎの寸法が類似する使用者による使用を可能とするスキーブーツを提供することにある。
【０００８】
また、本発明の別の目的は、使用者の方で足及びふくらはぎの寸法への適応性が迅速且つ容易に得られるようなスキーブーツを提供することにある。
とりわけ本発明の目的は、構造が簡単で比較的低コストのスキーブーツを提供することにある。
【課題を解決するための手段】
【０００９】
このような意図及び目的並びに以下においてより明らかとなる別の目的を達成するため本発明のスキーブーツは、硬質の通常のソールを備えたスキーブーツにおいて、上記ソールの踵の領域の方向に向けて開口するシェルが、上記ソールの足の前方部分の領域から土踏まずの領域にかけて上記ソールから突出し、上記シェルには、上記ソールに対する長手軸方向の位置を調整及びガイドする手段と相互に作用しながら支持部材が前後に摺動可能に連結されており、上記支持部材には高さを調整可能なカフが回動可能に連結されていることを特徴とする。
【発明の効果】
【００１０】
本発明によれば、シェルの長さ及びカフの高さの両方を調整可能とすることにより、極めて良好なフィット性を保持しながら、使用者の足及び脚の特定の寸法に最適となるように適応可能なスキーブーツを提供することができる。
また、本発明によるスキーブーツは、子供の足や脚の大きさの増大に適合するようにブーツの寸法を適宜調整することができるので、子供であっても長期にわたって使用することが可能となる。
【００１１】
更に、本発明によるスキーブーツは、シェルの長さ及びカフの高さを必要なときに迅速に調整することができることから、足や脚の寸法が同一ではないが類似した複数の使用者によって使用できるようになり、例えばレンタル分野で広く採用可能となる。
また、サイズの調整は、特殊な工具を必要としたりブーツの構成部品の取り外しを必要としたりすることなく、使用者の側で迅速且つ容易に行うことができる。
【発明を実施するための最良の形態】
【００１２】
本発明の更なる特徴及び利点は、限定されない実施例として添付の図面に示される、特定のものではあるが限定的ではない実施形態についての以下の詳細な説明からより明らかとなる。
以下の実施形態において、特定の実施形態に関する個々の特徴は、別の実施形態における別の特徴と置き換えても良い。
【００１３】
また、特許手続の間に公知であることが判明したものはいずれも権利請求を意図するものではなく権利放棄すべきものである。
図を参照すると、符号１は硬質の通常のソール２を備えたスキーブーツを示している。
ソール２からは、ソール２の足の前方部分の領域から土踏まずの領域のほぼ上方にかけてシェル３が突出しており、シェル３は一般的に硬質又は半硬質の樹脂材料からなり、ソール２の踵４の領域の方向に向けて開口している。シェル３には、ソール２に対する長手軸方向の位置を調整及びガイドする手段と相互に作用しながら、ソール２の踵４の領域において前後に摺動可能に支持部材５が連結されている。この支持部材５には、カフ６が回動可能に連結されている。
【００１４】
シェル３は、ほぼ土踏まずの領域からソール２の上方に向けて使用者の踝の方向に突出する２つの側部ウィング７ａ及び７ｂを有しており、この側部ウィング７ａ及び７ｂはソール２に近接する下端部５０の近傍において、ソール２を横断する同一軸線上に、符号８ａ及び８ｂで示される２つの第１の孔を有する。
上述したソール２に対する長手軸方向の位置を調整する手段は、ソール２の踵４の領域でソール２に設けられ、ソール２の表面１０を起点とする第１取付座９を備えている。
【００１５】
このような第１取付座９は、上方から見てソール２の長手軸方向である前後軸方向に長いほぼ長方形の形状を有している。
第１取付座９の互いに対向する前後軸方向の側壁には、軸線を同一にする第２の孔１１及び第３の孔１２が設けられており、第２の孔１１の方が第３の穴１２より大きい径を有するようにするのが有効である。
【００１６】
第１取付座９は、ソール２に対する長手軸方向の位置をガイドする上記手段の一部となる後部キャビティ１３と連通しており、この後部キャビティ１３は、ソール２の上面１０を起点とし、第１基部９からソール２の後方周縁部までの一部に設けられている。後部キャビティ１３は、横方向断面においてほぼ逆Ｔ字状の全体形状を有し、上方から見て幅及び長さが第１取付座９の幅及び長さよりも短い、ほぼ長方形の形状を有するのが有効である。
【００１７】
支持部材５はほぼ平坦に形成された基部１４を備えており、この基部１４は第１取付座９及びキャビティ１３の領域においてソール２の上面１０上で摺動可能であり、また基部１４は上方から見て踵４の領域におけるソール２の形状と部分的に一致した形状を有している。
踵４の領域における上面１０の少なくとも一部と、支持部材５の前後方向周縁部の下面との間には、適切な材料の第１ストリップ５１からなる第１スノーガイド又は第１ウォーターガードが介装されており、第１ストリップ５１はＬ字状をなし、上面１０と側部ウィング７ａ及び７ｂの下端部５０との間に存在する空隙の少なくとも端部に配設されるのが有効である。
【００１８】
基部１４の周縁部からは、符号１６ａ及び１６ｂによって示されてシェル３の側部ウィング７ａ及び７ｂ内に摺動可能な２つの側壁で画成され、上方から見てほぼＵ字状をなす第１突出部１５がソール２とは反対側に延設されている。
側壁１６ａ及び１６ｂには、符号１７ａ及び１７ｂで示される２つの第１スロットが、シェル３の側部ウィング７ａ及び７ｂに設けられた第１の孔８ａ及び８ｂに対向するように配置され、ソール２の長手方向の軸線に沿って設けられている。これら第１の孔８ａ及び８ｂと第１スロット１７ａ及び１７ｂとは、ソール２に対する長手軸方向の位置をガイドする上記手段を構成している。
【００１９】
第１の孔８ａ及び８ｂは、符号１８ａ及び１８ｂで示され、第１の孔８ａ及び８ｂに固定されると共に第１スロット１７ａ及び１７ｂに摺動可能に挿入された第１ねじ部材又はリベットを用いて第１スロット１７ａ及び１７ｂと摺動可能に連結されており、この第１ネジ又はリベット１８ａ及び１８ｂも、ソール２に対する長手軸方向の位置をガイドする上述の手段を構成するものである。
【００２０】
また側壁１６ａ及び１６ｂには、第１スロット１７ａ及び１７ｂよりも上の位置で、第１スロット１７ａ及び１７ｂのシェル３とは反対方向の端部側に、同一の軸線を有して符号１９ａ及び１９ｂで示される第４の貫通孔が設けられている。
基部１４にほぼ直角にソール２に向かって第２突出部２０が延設されており、この第２突出部２０はソール２の上面１０に設けられた第１取付座９において摺動可能であって、ソール２に対する長手軸方向の位置を調整及びガイドする上記手段を構成している。
【００２１】
第２突出部２０は、第１取付座９の幅とほぼ等しい幅を有すると共に、第１取付座９の長さより短い長さを有することにより、所望の軌道に従って第１取付座９内を前後方向に移動可能となっている。第２突出部２０は、前後方向の断面においてほぼ長円形の形状を有し、横方向に貫通する第２取付座２１が設けられているのが有効である。
この取付座２１の上側の面、或いは好ましくは下側の面には、第２突出部２０を横断する歯２２が形成されている。
【００２２】
基部１４からソール２に向かい、第２突出部２０の後方に第３突出部２３が延設されており、この第３突出部２３はキャビティ１３とほぼ同様の形状をなすと共にキャビティ１３よりも前後方向に短くなっており、キャビティ１３内に収容されて、ソール２に対する前後方向の支持部材５の摺動をガイドすると共に規制している。第２突出部２０はソール２に対する長手軸方向の位置をガイドする上記手段を構成するものである。
【００２３】
第２取付座２１内には、ソール２に対する長手軸方向の位置を調整する上述の手段のための更なる部材が配置される。この部材は、歯２２に対応する歯がその軸線方向に形成されて歯２２に噛合可能な第１シリンダ、即ち第１軸部２５を有する第２ねじ部材２４からなり、この第２ねじ部材２４は第２の孔１１及び第３の孔１２に回動可能に設けられている。
【００２４】
第２ねじ部材２４は、第２の孔１１近傍の端部において、第２の孔１１の周縁部に接して自由に回転することができるように、第２の孔１１の径より大きい径を有する環状の頭部２６を有している。
第２ねじ部材２４の自由端は第３の孔１２から突出しており、第３の孔１２の周縁部に接するように第３の孔１２の径より大きい径を有したディスク２８の支持を行うピン２７を軸線方向に嵌合することにより、第３の孔１２と回動可能に結合されている。
【００２５】
ディスク２８のピン２７とは反対側の部分からは支持部２９が突出し、使用者の方で第２ねじ部材２４に所望の回動を与えることができるように適合されたレバー３０が第１細径ピン５２により支持部２９に軸支されている。
レバー３０はソール２の側面に対して一方向と反対方向とに傾動可能であり、ソール２の側面からほぼ直角に突出して所定位置に配置された第２細径ピン３１を、レバー３０に設けられた第５の貫通孔３２に挿入することにより、所望の位置においてソール２と結合可能になっている。
【００２６】
支持部材５には、支持部材５の第１突出部１５の周囲に部分的に重なり合うように配置されたカフ６が、第４の孔１９ａ及び１９ｂの近傍でカフ６に設けられた第６の孔３４並びに第４の孔１９ａ及び１９ｂにスタッド３３を挿入することにより、揺動可能に連結されている。
カフ６は、カフ６の上端縁５８の後部領域から選択的に突出させることができる舌部３５の存在により高さを調整することができるようになっている。舌部３５は、上端縁５８に近接してカフ６に設けられた第６の孔３７と、舌部３５に上下方向に設けられた２つ以上の第６の孔３８の１つとに第３ねじ部材３６を挿入することにより、所望の上下方向位置でカフ６に結合可能である。
【００２７】
この結合は、第３ねじ部材３６とこれに対応する形状の１つ以上の第３取付座３９との相互作用によって得られるものであり、第３取付座３９はカフ６とは反対側で舌部３５と接合可能な板部材４０に設けられている。
また更に、ソール２に対する長手軸方向の支持部材５の位置をガイドする手段を構成するため、踵４の領域の上面１０には、第１取付座９の側方に第７の孔５３ａ及び５３ｂが設けられ、この第７の孔５３ａ及び５３ｂは、多角形であるのが有効な第４ねじ部材又はリベット５５の頭部５４を収容する図示されない第３取付座と下方に連通している。
【００２８】
この第４ねじ部材又はリベット５５は、支持部材５の基部１４に設けられた第２スロット５７内で摺動可能な第２シリンダ、即ち第２軸部５６を有しており、第２シリンダ５６が第２スロット５７と結合されている。
第２スノーガード或いはウォーターガードは、シェル３の側部ウィング７ａ及び７ｂのカフ６と重合する周縁部に対向しているカフ６の周縁部に接合された第２ストリップ５９からなる。
【００２９】
本発明の作用は以下の通りである。添付の図を参照すると、支持部材５が第２突出部２０及び第３突出部２３を第１取付座９及びキャビティ１３内に配設してソール２及びシェル３に連結されている。このとき、側壁１６ａ及び１６ｂはシェル３の側部ウィング７ａ及び７ｂ内に配置されている。
第１ねじ部材又はリベット１８ａ及び１８ｂが第１の孔８ａ及び８ｂ内に配設され、それによって第１スロット１７ａ及び１７ｂ内に配設されることにより、支持部材５がシェル３に対して摺動可能に連結される。
【００３０】
第２ねじ部材２４の第１シリンダ２５が第２の孔１１を介して第１取付座９及び第２取付座２１内に挿入されて、その端部を第２の孔１１及び第３の孔１２に位置させ、第２ねじ部材２４の第１シリンダ２５内にピン２７が嵌入されている。従って第２ねじ部材２４は、第２の孔１１及び第３の孔１２の周縁部に対する頭部２６及びディスク２８の係合により、ソール２に結合されている。
【００３１】
これにより、第２ねじ部材の歯付の第１シリンダ２５は、第２取付座２１内に存在する歯２２と噛合している。このとき、カフ６は支持部材５の第１突出部１５の側壁１６ａ及び１６ｂを覆うように配設され、第６の孔３４と第４の孔１９ａ及び１９ｂとにスタッド３３を挿入することにより支持部材５と連結されている。
レバー３０を操作することにより、支持部材５がシェル３に対して前方又は後方に移動するように、使用者が第２ねじ部材２４を所望の角度に回動させることが可能であり、それによってスキーブーツ１を前後方向に長くしたり短くしたりすることができる。
【００３２】
一旦所望の長さが得られれば、レバー３０をソール２の側面の方に揺動し、レバー３０に設けられた第５の孔３２内に細径ピン３１のいずれか１つを挿入してレバー３０を固定することにより、シェル３と支持部材５との相互の摺動を止めることが可能となる。
このようにして、極めて良好にスキーブーツ１の前後方向の長さを調整することが可能となる。
【００３３】
最終的にスキーブーツ１の内部には、使用者に対する快適なフィット性を増大させるのに適した柔軟な素材によるインナーブーツ（図示せず）が配設される。
シェルの長さ及びカフの高さの両方を調整可能とすることにより、極めて良好なフィット性を保持しながら、使用者の足及び脚の特定の寸法に最適となるように適応可能なスキーブーツを提供することで、本発明が上述した意図及び目的を達成する方法が明らかとなった。
【００３４】
また、本発明によるスキーブーツは、子供の足や脚の大きさの増大に適合するようにブーツの寸法を適宜調整することができるので、子供であっても長期にわたって使用することが可能となる。
更に、本発明によるスキーブーツは、シェルの長さ及びカフの高さを必要なときに迅速に調整することができることから、足や脚の寸法が同一ではないが類似した複数の使用者によって使用できるようになり、例えばレンタル分野で広く採用可能となる。
【００３５】
また、サイズの調整は、特殊な工具を必要としたりブーツの構成部品の取り外しを必要としたりすることなく、使用者の側で迅速且つ容易に行うことができる。
ほぼ或いは実質的にといった語句は、それらが示す特徴が、明示された特性以外に形状や寸法には一般的に知られている範囲内で許容差を有するということを意味するものである。
【００３６】
当然のことながら、添付された特許請求の範囲内である限りにおいて、本発明は様々な修正や変形を行うことが可能である。
また、本発明の個々の部材の寸法のみならず採用される材料についても、特定の要求に応じてより適切なものとすることができることは言うまでもない。
ある機能を実行するための様々な手段が、図示された実施形態中にのみ同時に存在するものではなく、図示しない多くの実施形態において存在することが可能である。
【００３７】
有効、適切或いは同様として示された特性は、不足していても良いし均等物によって代替されても良い。
【図面の簡単な説明】
【００３８】
【図１】本発明によるスキーブーツの分解斜視図である。
【図２】本発明によるスキーブーツの部分的縦断面を示す分解斜視図である。
【図３】本発明によるスキーブーツの様々な部品を示す分解側面図である。
【図４】本発明によるスキーブーツが最短状態にあるときの中間縦平面に沿った断面図である。
【図５】最長状態にあるスキーブーツを図４と同様に示す断面図である。
【符号の説明】
【００３９】
１  スキーブーツ
２  ソール
３  シェル
５  支持部材
６  カフ
９  第１取付座
１３  後部キャビティ
１４  基部
１５  第１突出部
２０  第２突出部
２１  第２取付座
２３  第３突出部
２４  第２ねじ部材
３０  レバー
３５  舌部
３６  第３ねじ部材
３９  第３取付座
４０  板部材
５１  第１ストリップ
５９  第２ストリップ
【図１】
2006297081.tif 000003
【図２】
2006297081.tif 000004
【図３】
2006297081.tif 000005
【図４】
2006297081.tif 000006
【図５】
2006297081.tif 000007